(57)【要約】【課題】本発明は、携帯電話機へ実装した際の面積を抑えつつ、厚みを抑えた液晶表示モジュールを提供する。【解決手段】メインＬＣＤ２が、メインＬＣＤ２とほぼ同じ大きさに形成されたフレキシブル基板４の端部に接続され、メインＬＣＤ２より面積が小さいサブＬＣＤ３が、メインＬＣＤ２の表示面と同一方向の表示面となるように、かつフレキシブル基板４と重なるように配置されてフレキシブル基板４上に搭載された液晶表示モジュールであって、フレキシブル基板４は、サブＬＣＤ３と重なった領域以外の部品実装領域に、メインＬＣＤ２またはサブＬＣＤ３に接続される電子部品が実装されたことを特徴とする液晶表示モジュール。【選択図】図１
2005265924.tif 000002
【特許請求の範囲】
【請求項１】
第１の液晶表示パネルが、前記第１の液晶表示パネルとほぼ同じ大きさに形成されたフレキシブル基板の端部に接続され、前記第１の液晶表示パネルより面積が小さい第２の液晶表示パネルが、前記第１の液晶表示パネルの表示面と同一方向の表示面となるように、かつ前記フレキシブル基板と重なるように配置されて前記フレキシブル基板上に搭載された液晶表示モジュールであって、
前記フレキシブル基板は、前記第２の液晶表示パネルと重なった領域以外の部品実装領域に、前記第１の液晶表示パネルまたは前記第２の液晶表示パネルに接続される電子部品が実装されたことを特徴とする液晶表示モジュール。
【請求項２】
前記フレキシブル基板は、第２の液晶表示パネルの表示面側で、かつ前記部品実装領域に、外部との接続用のコネクタが設けられたことを特徴とする請求項１記載の液晶表示モジュール。
【請求項３】
前記第１の液晶表示パネルと前記第２の液晶表示パネルとを表示面を外側にして背中合わせとなるように前記フレキシブル基板を折り曲げた状態において、前記第１の液晶表示パネルと前記第２の液晶表示パネルとの間にバックライトの導光板が配置され、
前記フレキシブル基板は、前記第２の液晶表示パネルの表示面と重なった領域に開口が形成されたことを特徴とする請求項１または２記載の液晶表示モジュール。
【請求項４】
前記フレキシブル基板は、前記バックライトの導光板の側方で、かつ前記第１の液晶表示パネルと前記第２の液晶表示パネルとを表示面を外側にして背中合わせとなるように折り曲げた位置に発光手段が実装されていることを特徴とする請求項３記載の液晶表示モジュール。
【発明の詳細な説明】
【技術分野】
【０００１】
本発明は、携帯電話機などに用いられ、メイン液晶表示パネルとサブ液晶表示パネルを有する液晶表示モジュールに関する。
【背景技術】
【０００２】
携帯電話は、電話番号の表示や、メールの表示などに用いられるメイン液晶表示パネルと、時間表示や通話中に様々な色を表示するサブ液晶表示パネルの２台の液晶表示パネルを備えるものが多い。
【０００３】
これらのメイン液晶表示パネルとサブ液晶表示パネルは、可撓性を有するフレキシブル基板により接続されており、液晶表示モジュールとして携帯電話機へ実装される。このような液晶表示モジュールとして、特許文献１に記載がある。特許文献１に記載の従来の液晶表示モジュールを図５に示す。
【０００４】
図５に示すように、従来の液晶表示モジュール２０は、メイン液晶表示パネル２１とサブ液晶表示パネル２２とは、可撓性を有するフレキシブル基板（Flexible Print Circuits：以下、ＦＰＣと称す。）２３で接続されている。また、メイン液晶表示パネル２１は、ＬＳＩ（Large Scale Integration）２４を実装した合成樹脂フィルムからなる回路基板２５を介して外部の制御装置等と接続される。
【０００５】
次に、この液晶表示モジュール２０を携帯電話機へ実装した状態を図６に示す。
【０００６】
液晶表示モジュール２０を携帯電話機へ実装する場合には、ＦＰＣ２３を折り曲げ、メイン液晶表示パネル２１とサブ液晶表示パネル２２とをそれぞれの表示面が外側になるように背中合わせとする。ＬＳＩ２４を実装した回路基板２５は、背中合わせにしたメイン液晶表示パネル２１とサブ液晶表示パネル２２との間に配置したプリント基板２６へ接続されている。
【特許文献１】特開２００３−１３１２５０号公報
【発明の開示】
【発明が解決しようとする課題】
【０００７】
図５に示すように、携帯電話機へ実装される従来の液晶表示モジュール２０は、ＬＳＩ２４を実装した回路基板２５がメイン液晶表示パネル２１を挟んで、サブ液晶表示パネル２２と反対側へ接続されている。従って、ＦＰＣ２３を折り曲げ、メイン液晶表示パネル２１とサブ液晶表示パネル２２とをそれぞれの表示面が外側になるように背中合わせとすると、その間に挟み込むように回路基板２５を配置しないと、携帯電話機へ実装した際の液晶表示モジュール２０全体の面積が広くなってしまう。
【０００８】
また、図６に示すように、回路基板２５を折り曲げて、背中合わせにしたメイン液晶表示パネル２１とサブ液晶表示パネル２２との間に位置させると、外部の回路や部品との接続を行うためのプリント基板２６を介在させる必要があり、携帯電話機へ実装した際の液晶表示モジュール２０の厚みが厚くなる。
【０００９】
この液晶表示モジュールの面積の広さや厚みは、携帯電話機の薄型化、軽量化が進むほど顕著な問題となってくる。
【００１０】
そこで本発明は、携帯電話機へ実装した際の面積を抑えつつ、厚みを抑えた液晶表示モジュールを提供することを目的とする。
【課題を解決するための手段】
【００１１】
上記の目的を達成するために、本発明は、第１の液晶表示パネルが、前記第１の液晶表示パネルとほぼ同じ大きさに形成されたフレキシブル基板の端部に接続され、前記第１の液晶表示パネルより面積が小さい第２の液晶表示パネルが、前記第１の液晶表示パネルの表示面と同一方向の表示面となるように、かつ前記フレキシブル基板と重なるように配置されて前記フレキシブル基板上に搭載された液晶表示モジュールであって、前記フレキシブル基板は、前記第２の液晶表示パネルと重なった領域以外の部品実装領域に、前記第１の液晶表示パネルまたは前記第２の液晶表示パネルに接続される電子部品が実装されたことを特徴とする。
【発明の効果】
【００１２】
本発明は、第１の液晶表示パネルが、第１の液晶表示パネルとほぼ同じ大きさに形成されたフレキシブル基板の端部に接続され、第１の液晶表示パネルより面積が小さい第２の液晶表示パネルが、第１の液晶表示パネルの表示面と同一方向の表示面となるように、かつフレキシブル基板と重なるように配置されてフレキシブル基板上に搭載され、フレキシブル基板は、第２の液晶表示パネルと重なった領域以外の部品実装領域に、第１の液晶表示パネルまたは第２の液晶表示パネルに接続される電子部品が実装されたことにより、第１の液晶表示パネルと第２の液晶表示パネルとを表示面を外側にして背中合わせとなるようにフレキシブル基板を折り曲げると、液晶表示モジュールの面積が、第１の液晶表示パネルの広さとすることができる。また、液晶表示モジュールの厚みは、第１の液晶表示パネルの厚みと第２の液晶表示パネルを合わせた厚みとなるため、携帯電話機へ実装した際の面積を抑えつつ、厚みを抑えた液晶表示モジュールとすることができる。
【発明を実施するための最良の形態】
【００１３】
本願の第１の発明は、第１の液晶表示パネルが、第１の液晶表示パネルとほぼ同じ大きさに形成されたフレキシブル基板の端部に接続され、第１の液晶表示パネルより面積が小さい第２の液晶表示パネルが、第１の液晶表示パネルの表示面と同一方向の表示面となるように、かつフレキシブル基板と重なるように配置されてフレキシブル基板上に搭載された液晶表示モジュールであって、フレキシブル基板は、第２の液晶表示パネルと重なった領域以外の部品実装領域に、第１の液晶表示パネルまたは第２の液晶表示パネルに接続される電子部品が実装されたことを特徴とするものであり、第１の液晶表示パネルと第２の液晶表示パネルとを表示面を外側にして背中合わせとなるようにフレキシブル基板を折り曲げると、液晶表示モジュールの面積が、第１の液晶表示パネルの広さとすることができる。また、液晶表示モジュールの厚みは、第１の液晶表示パネルの厚みと第２の液晶表示パネルの厚みを合わせた厚みとすることができる。従って、携帯電話機へ実装した際の面積を抑えつつ、厚みを抑えた液晶表示モジュールとすることができる。
【００１４】
本願の第２の発明は、フレキシブル基板は、第２の液晶表示パネルの表示面側で、かつ部品実装領域に、外部との接続用のコネクタが設けられたことを特徴とするものであり、外部との接続用のコネクタが、第１の液晶表示パネルと第２の液晶表示パネルとを表示面を外側にして背中合わせとなるようにフレキシブル基板を折り曲げても、接続用のコネクタが外側へ面しているので、携帯電話機へ実装した際の厚みを増加させる他の基板などを挟むことなく、容易に外部との接続を取ることができる。
【００１５】
本願の第３の発明は、第１の液晶表示パネルと第２の液晶表示パネルとを表示面を外側にして背中合わせとなるようにフレキシブル基板を折り曲げた状態において、第１の液晶表示パネルと第２の液晶表示パネルとの間にバックライトの導光板が配置され、フレキシブル基板は、第２の液晶表示パネルの表示面と重なった領域に開口が形成されたことを特徴とするものであり、バックライトの導光板を第１の液晶表示パネルと第２の液晶表示パネルとを表示面を外側にして背中合わせとなるようにフレキシブル基板を折り曲げた間に挟み込み、フレキシブル基板に、第２の液晶表示パネルの表示面と重なった領域に開口が形成されたことで、２枚の液晶表示パネルを同時に１枚の導光板で照らすことができる。従って、より厚みを抑えた液晶表示モジュールとすることができる。
【００１６】
本願の第４の発明は、フレキシブル基板は、バックライトの導光板の側方で、かつ第１の液晶表示パネルと第２の液晶表示パネルとを表示面を外側にして背中合わせとなるように折り曲げた位置に発光手段が実装されていることを特徴とするものであり、基板の第１の液晶表示パネルと第２の液晶表示パネルとを表示面を外側にして背中合わせとなるようにフレキシブル基板を折り曲げた位置に発光手段が実装されているので、発光手段を実装する他の基板を準備する必要がない。従って、より厚みを抑えた液晶表示モジュールとすることができる。
【００１７】
本発明の実施の形態に係る液晶表示モジュールを図１および図２に基づいて説明する。
【００１８】
図１は本発明の実施の形態に係る液晶表示モジュールの構成を説明する斜視図である。図２は本発明の実施の形態に係る液晶表示モジュールに用いられるフレキシブル基板の斜視図である。図３はバックライトの斜視図であり、（ａ）はケースの斜視図、（ｂ）は導光板の斜視図である。図４はフレキシブル基板を折り曲げた状態の斜視図であり、（ａ）はメインＬＣＤ（Liquid Crystal Display）側の斜視図、（ｂ）はサブＬＣＤ側の斜視図である。
【００１９】
図１に示すように、本発明の実施の形態に係る液晶表示モジュール１は、携帯電話機へ搭載され、第１の液晶表示パネルであるメインＬＣＤ２と、第２の液晶表示パネルであるサブＬＣＤ３と、可撓性を有する基板であるフレキシブル基板４とを有している。
【００２０】
メインＬＣＤ２は、１７６ドット×２２０ドットの２．２インチ型液晶表示パネルである。
【００２１】
サブＬＣＤ３は、メインＬＣＤ２より面積が小さく形成されており、１２８ドット×１６０ドットの１．３インチ型液晶表示パネルである。サブＬＣＤ３は、第１の液晶表示パネルの表示面と同一方向の表示面となるように、かつフレキシブル基板４と重なるように配置して、フレキシブル基板４上に搭載されている。
【００２２】
フレキシブル基板４は、ポリイミド製であり、メインＬＣＤ２とほぼ同じ外形で形成されている。フレキシブル基板４は、端部に形成された電極によりメインＬＣＤ２と導電性接着剤を介して接続されている。図２に示すように、フレキシブル基板４は、図示しない配線パターンを露出させて電極４ａが形成され、サブＬＣＤ３と導電性接着剤を介して接続されている。また、フレキシブル基板４は、サブＬＣＤ３の表示画面とほぼ同じ領域に開口４ｂが形成されている。この開口は後述するバックライトからの光を取り入れる窓となる。
【００２３】
図１に戻って、フレキシブル基板４は、サブＬＣＤ３が重なるように配置されている領域以外を部品実装領域とし、メインＬＣＤ２またはサブＬＣＤ３へ電圧を供給する昇圧回路を構成するコンデンサや抵抗またはＩＣなどの電子部品４ｃが実装されている。また、バックライトの光源として発光手段であるＬＥＤ（Light Emitting Diode）４ｄがメインＬＣＤ２側に実装されている。
【００２４】
また、フレキシブル基板４は、第２の液晶表示パネルの表示面側で、かつ部品実装領域に、外部との接続用コネクタ４ｅが、メインＬＣＤ２側に設けられている。このように接続用コネクタ４ｅをフレキシブル基板４に形成することで、メインＬＣＤ２とサブＬＣＤ３とを表示面を外側にして背中合わせとなるようにフレキシブル基板４を折り曲げても、接続用コネクタ４ｅが外側へ面しているので、携帯電話機へ実装した際の厚みを増加させる要因となる他の基板などを挟むことなく、容易に外部の回路や部品との接続を取ることができる。
【００２５】
この液晶表示モジュール１は、メインＬＣＤ２とサブＬＣＤ３とを表示面を外側にして背中合わせとなるようにフレキシブル基板４を折り曲げた状態において、メインＬＣＤ２とサブＬＣＤ３との間にバックライト５が配置されている。
【００２６】
バックライト５を図３に基づいて詳細に説明する。図３に示すように、バックライト５は、ケース６と導光板７とを備えている。
【００２７】
ケース６は、メインＬＣＤ２が収納可能なようにメインＬＣＤ用ガイド６ａが形成されている。また。ケース６は、サブＬＣＤ３が収納可能なようにサブＬＣＤ用ガイド６ｂが形成されている。またケース６は、メインＬＣＤ２とサブＬＣＤ３とを表示面を外側にして背中合わせとなるようにフレキシブル基板４を折り曲げた状態において、フレキシブル基板４の部品実装領域に実装された電子部品４ｃや外部との接続用コネクタ４ｅがケース６と干渉しないよう、開口６ｃが形成されている。
【００２８】
導光板７は、メインＬＣＤ２用の導光板７ａと、サブＬＣＤ３用の導光板７ｂとが反射板８を挟んで貼り合わせて形成されている。
【００２９】
この導光板７の側方で、かつメインＬＣＤ２とサブＬＣＤ３とを表示面を外側にして背中合わせとなるようにフレキシブル基板４を折り曲げた位置に、ＬＥＤ４ｄがフレキシブル基板４に実装されることで、導光板７へ照射する光源を搭載するための別の基板を準備する必要がない。
【００３０】
図４に液晶表示モジュール１を、メインＬＣＤ２とサブＬＣＤ３とを表示面を外側にして背中合わせとなるようにフレキシブル基板４を折り曲げた状態を示す。
【００３１】
このように、フレキシブル基板４を折り曲げ、ケース６にメインＬＣＤ２およびサブＬＣＤ３を収納させることで、液晶表示モジュール１の面積をメインＬＣＤ２の面積と同じとすることができる。そして厚みは、メインＬＣＤ２およびサブＬＣＤ３とバックライト５の厚み程度とすることができるので、携帯電話機の小型化に適応した液晶表示モジュールとすることができる。
【産業上の利用可能性】
【００３２】
本発明は、携帯電話機へ実装した際の面積を抑えつつ、厚みを抑えることができるので、携帯電話機などに用いられる液晶表示モジュールに好適である。
【図面の簡単な説明】
【００３３】
【図１】本発明の実施の形態に係る液晶表示モジュールの構成を説明する斜視図
【図２】本発明の実施の形態に係る液晶表示モジュールに用いられるフレキシブル基板の斜視図
【図３】バックライトの斜視図であり、（ａ）はケースの斜視図、（ｂ）は導光板の斜視図
【図４】フレキシブル基板を折り曲げた状態の斜視図であり、（ａ）はメインＬＣＤ側の斜視図、（ｂ）はサブＬＣＤ側の斜視図
【図５】従来の液晶表示モジュールの斜視図
【図６】従来の液晶表示モジュールを携帯電話機に実装した状態を示す図
【符号の説明】
【００３４】
１  液晶表示モジュール
２  メインＬＣＤ
３  サブＬＣＤ
４  フレキシブル基板
４ａ  電極
４ｂ  開口
４ｃ  電子部品
４ｄ  ＬＥＤ
４ｅ  接続用コネクタ
５  バックライト
６  ケース
６ａ  メインＬＣＤ用ガイド
６ｂ  サブＬＣＤ用ガイド
６ｃ  開口
７，７ａ，７ｂ  導光板
８  反射板
【図１】
2005265924.tif 000003
【図２】
2005265924.tif 000004
【図３】
2005265924.tif 000005
【図４】
2005265924.tif 000006
【図５】
2005265924.tif 000007
【図６】
2005265924.tif 000008